(57)【特許請求の範囲】
【請求項１】
跳ね上げ方向に付勢された跳ね上げ式ストロボ(２)及びスライド式のレンズバリア(９)を具えたカメラにおいて、該ストロボ(２)は、レンズバリア(９)の閉じ状態にて該レンズバリア(９)の閉じ側端に隣接して露出する位置にあり、ストロボ(２)のストロボケース(４)にはバネ(８)に付勢されて出没可能に突出し閉じ状態のレンズバリア(９)に引っ掛かってストロボケース(４)の跳ね上がりを防止する掛かり片(６)を有し、跳ね上がったストロボケース(４)をカメラボディ(１)のストロボ収容部(13)に収容する際にレンズバリア(９)を閉じ状態とし、掛かり片(６)は閉じ状態のレンズバリア(９)の端縁(91)に当たってバネ(８)に抗して凹み、レンズバリア(９)の内側で元位置に復帰してレンズバリア(９)に内側から引っ掛かり可能であり、掛かり片(６)の先端には、ストロボ(２)をカメラのストロボ収容部(13)に収容する際に、レンズバリア(９)の端縁(91)に当接して掛かり片(６)をバネ(８)に抗して後退させる推力を作用させる傾斜面(6a)を形成しているレンズバリア及びストロボを具えたカメラ。
【請求項２】
ストロボケース(４)は前面が開口(41)して下段にランプ収容室(42)、上段に掛かり片収容室(43)が形成され、掛かり片収容室(43)には掛かり片(６)に突出した軸部(61)をスライド可能に支持する支持部材(７)及び該軸部(61)に嵌まって掛かり片(６)を飛び出し方向に付勢するコイルバネ(８)が配備され、支持部材(７)は掛かり片収容室(43)の後壁(46)から前方に突設した凸軸(47)に嵌まって支持部材(７)が掛かり片(６)のスライド方向へ移動することを阻止する切欠(74)を有しており、ストロボケース開口(41)に装着した透光板(48)によって支持部材(７)の脱落を防いでいる請求項１に記載のレンズバリア及びストロボを具えたカメラ。
【請求項３】
ストロボケース(４)を取付けベース(30)に枢支してストロボユニット(３)を構成し、取付けベース(30)上でトーションバネ(33)によってストロボケース(４)を跳ね上げ方向に付勢しており、取付けベース(30)がカメラボディ(１)のストロボランプ収容部(13)に嵌着固定されている請求項１又は２に記載のレンズバリア及びストロボを具えたカメラ。
【請求項４】
カメラの電源スイッチ(97)は、レンズバリア(９)のスライドによって制御され、レンズバリア(９)が開くとカメラの電源がＯＮとなり、レンズバリア(９)が閉じるとカメラの電源がＯＦＦとなる請求項１乃至３の何れかに記載のレンズバリア及びストロボを具えたカメラ。
【発明の詳細な説明】
【０００１】
【発明の属する分野】
本発明は、レンズバリアが開いていても閉じていても跳ね上げ式ストロボをカメラボディに収容できるレンズバリア及びストロボを具えたカメラに関するものである。
【０００２】
【従来の技術及び発明が解決しようとする課題】
跳ね上げ式ストロボを具えた従来のデジタルカメラは、ストロボの跳ね上げは、手動で行うものが殆どであった。
これは、フィルム式カメラよりも一層小型軽量化が望まれるデジタルカメラにあっては、スイッチ操作による公知の電動式の跳ね上げ機構を組み込むことは、便利さよりも、重量増と大型化を来すデメリットが大きく、実施に踏み切れなかった。
【０００３】
フィルム式カメラでは、レンズバリアを開くと、ストロボが露出すると共にバネ付勢により自動的にストロボが跳ね上がるものも提案されている(特開平１１−２１２１５２号)(国際分類Ｇ０３Ｂ  １５／０)。
ところが、上記自動跳ね上がりストロボを具えたカメラは、ストロボが跳ね上がったままでは、レンズバリアを閉じることができない。
【０００４】
レンズバリアを具えたカメラでは、レンズバリアの開閉が電源のＯＮ−ＯＦＦスイッチを動作させる様に構成されることが多い。上記の場合、シャッターチャンスを待つ間の電源をＯＦＦするためには、いちいちストロボをカメラボディに収納してからレンズバリアを閉じなければならず面倒である。このため、ストロボを跳ね上げたまま、即ち、電源をＯＮ状態のままシャッターチャンスを待つことことになり、バッテリーの消耗が早まる。
本発明は、レンズバリアが開いていても閉じていても跳ね上げ式ストロボをボディに収容できるカメラを明らかにし、以て上記問題を解決するものである。
【０００５】
本発明は、跳ね上げ方向に付勢された跳ね上げ式ストロボ(２)及びスライド式のレンズバリア(９)を具えたカメラにおいて、該ストロボ(２)は、レンズバリア(９)の閉じ状態にて該レンズバリア(９)の閉じ側端に隣接して露出する位置にあり、ストロボ(２)のストロボケース(４)にはバネ(８)に付勢されて出没可能に突出し閉じ状態のレンズバリア(９)に引っ掛かってストロボケース(４)の跳ね上がりを防止する掛かり片(６)を有し、跳ね上がったストロボケース(４)をカメラボディ(１)のストロボ収容部(13)に収容する際にレンズバリア(９)を閉じ状態とし、掛かり片(６)は閉じ状態のレンズバリア(９)の端縁(91)に当たってバネ(８)に抗して凹み、レンズバリア(９)の内側で元位置に復帰してレンズバリア(９)に内側から引っ掛かり可能であり、掛かり片(６)の先端には、ストロボ(２)をカメラのストロボ収容部(13)に収容する際に、レンズバリア(９)の端縁(91)に当接して掛かり片(６)をバネ(８)に抗して後退させる推力を作用させる傾斜面(6a)を形成している。
【０００６】
【作用及び効果】
レンズバリア(９)が閉じた状態において、跳ね上がったストロボケース(４)をカメラボディ(１)のストロボ収容部(13)に収容する際は、ストロボケース(４)の掛かり片(６)は、閉じ状態のレンズバリア(９)に対して該レンズバリアーの端縁(91)に当たりバネ(８)に抗して後退してストロボケース(４)がストロボ収容部(13)に納まることを許す。
上記の様に、レンズバリア(９)が閉じていても跳ね上げ式ストロボ(２)のストロボケース(４)をカメラボディ(１)のストロボ収容部(13)に収容出来る。
【０００７】
ストロボケース(４)をストロボ収容部(13)に収容してから、レンズバリア(９)を閉じても、掛かり片(６)がレンズバリア(９)の内側から引っ掛かって、ストロボケース(４)の収納状態が保持されるのは勿論である。
【０００８】
レンズバリア(９)の開閉動作によってカメラの電源がＯＮ−ＯＦＦする様にすれば、シャッターチャンスを待つためにストロボケース(４)を跳ね上げた状態でも、レンズバリア(９)を閉じて電源をＯＦＦでき、バッテリーの消耗を抑えることが出来る。
【０００９】
【発明の実施の形態】
図１、図３は、レンズバリア(９)が閉じて、跳ね上げ式ストロボ(２)がカメラボディ(１)のストロボ収容部(13)に納まった状態の正面図と側面図である。
図２、図４は、レンズバリア(９)が開いて跳ね上げ式ストロボ(２)がカメラボディ(１)のストロボ収容部(13)から跳ね上がった状態の正面図と側面図である。実施例のカメラはデジタルカメラであるが、本発明はフィルム式カメラにも実施可能である。
【００１０】
カメラボディ(１)は、前側と後側の２つ割構造であり、前部に右寄りにレンズ部(11)、該レンズ部(11)の上方にファインダー(12)、前部右上隅にストロボ収容部(13)を設け、該ストロボ収容部(13)に跳ね上げ式ストロボ(２)を収容している。
カメラボディ(１)の前部には、左右方向にスライド可能にレンズバリア(９)が取り付けられ、該レンズバリア(９)は図１に示す如く、右側にスライドして全閉状態ではレンズ部(11)とファインダー(12)を覆い、図２示す如く、左側にスライドして全開した状態では、レンズ部(11)とファインダー(12)を露出させる。
【００１１】
図５に示す如く、カメラボディ(１)には、レンズバリア(９)をその全閉位置及び全開位置で軟係止する軟係止手段(92)が設けられる。
軟係止手段(92)は、カメラボディ(１)に開設した小孔(10)に該カメラボディ(１)の内側からボール(93)の一部を臨出させて板バネ(94)で付勢し、レンズバリア(９)の内面に開設した浅穴(95)(96)に選択的に該ボール(93)を係合させる。
【００１２】
又、カメラボディ(１)にはレンズバリア(９)の移行路上に電源スイッチ(97)が配備され、該スイッチ(97)は、レンズバリア(９)が開くとカメラの電源がＯＮとなり、レンズバリア(９)が閉じると電源がＯＦＦとなる。
上記スイッチ(97)は、レンズバリア(９)の内面に設けた突子、カム溝等(何れも図示せず)等の動作手段によってＯＮ−ＯＦＦする公知の構成であるので、スイッチ及び動作手段の説明は省略する。
【００１３】
跳ね上げ式ストロボ(２)は、自身の跳ね上がり状態、伏せ状態、レンズバリア(９)の開閉に無関係にカメラボディ(１)上に露出している。
跳ね上げ式ストロボ(２)は、後記する管状ランプ(５)、掛かり片(６)等を具えたストロボケース(４)を取付けベース(30)に支持軸(31)にて回動可能に取り付けてストロボユニット(３)を構成してから、該取付けベース(30)が前記カメラボディ(１)のストロボ収容部(13)に嵌着固定されたものである。
ストロボケース(４)が跳ね上がった状態では、該ストロボケース(４)はカメラボディ(１)の上面より上方に突出してストロボケース(４)の正面開口(41)に装着した透光板(48)が正面を向き、ストロボケース(４)が伏した状態では、該ケースの壁面がカメラボディ(１)の上面、前面及び側面に揃う。
ストロボケース(４)を跳ね上げ構造とする大きな理由は、レンズ部(11)からできるだけ遠い位置で発光させて、所謂写真の赤目現象を防ぐためである。
【００１４】
以下のストロボケース(４)の説明は、ストロボケース(４)が跳ね上がっ状態に於けるものである。
図６、図７に示す如く、ストロボケース(４)は、仕切壁(44)によって下部のランプ収容室(42)と上部の掛かり片収容室(43)に仕切切られている。
ランプ収容室(42)には、管状ランプ(５)及び該ランプ(５)の後方にリフレクタ(51)が収容されている。
カメラボディ(１)とストロボケース(４)の輪郭の調和をとるために、ストロボケース(４)の両側の端壁(40a)(40b)の内、外側の端壁(40a)にキセノンランプ(５)の端部が侵入する丸みのある隆起部(49)が形成されている。
【００１５】
掛かり片収容室(43)には、前記レンズバリア(９)に内側から引っ掛かってストロボケース(４)の跳ね上げを阻止する掛かり片(６)及び該掛かり片(６)をスライド可能に支持するの支持部材(７)及び掛かり片(６)を飛び出し方向付勢するコイルバネ(８)が収容されている。
掛かり片(６)は板状を呈しており、ストロボケース(４)の内側の端壁(40b)に開設した出没孔(45)から外側に臨出している。
【００１６】
支持部材(７)は、頭部(71)と該頭部(71)から一体に突出した脚部(73)からなり、頭部(71)を掛かり片(６)側に向け、脚部(73)をストロボケース(４)の外側の端壁(40a)内面に当てた状態で横向き状態で掛かり片収容室(43)に収容取付けベース(30)、掛かり片収容室(43)に対して上下方向にあまり動き得る余裕はない。
【００１７】
支持部材(７)の脚部(73)には切欠(74)が開設され、実施例の切欠(74)は孔であってストロボケース(４)の後壁(46)から内側に突設した凸軸(47)が該切欠(74)に嵌まっており、支持部材(７)は左右方向にも移動不能である。
支持部材(７)の頭部(71)にはガイド孔(72)が開設され、前記掛かり片(６)に突設した軸部(61)を該ガイド孔(72)にスライド可能に嵌めている。
上記掛かり片(６)の軸部(61)にコイルバネ(８)が嵌まり、掛かり片(６)を飛び出し方向に付勢している。
【００１８】
ストロボケース(４)の前部開口(41)には樹脂製の透光板(48)が溶着により装着され、該透光板(48)によって掛かり片(６)は掛かり片収容室(43)から前方へ脱落することが防止されている。
【００１９】
ストロボケース(４)をトーションバネ(33)に抗して伏し方向に回動させると、ストロボケース(４)から臨出した掛かり片(６)が、閉じ状態のレンズバリア(９)の端縁(91)に当たるが、掛かり片(６)は、該端縁(91)に当たった際にコイルバネ(８)に抗して掛かり片(６)が掛かり片収容室(43)内にスライドする方向の力が作用する様に斜面(6a)が形成されている。
【００２０】
図２示す如く、カメラボディ(１)のストロボ収容部(13)に接する部分には上記掛かり片(６)の先端の侵入を許す凹部(14)が形成されている。
【００２１】
然して、跳ね上がったストロボケース(４)を、ストロボ収容部(13)に収容するには、ストロボケース(４)を前傾方向に倒す。
このとき、レンズバリア(９)が開いていれば、ストロボケース(４)から臨出した掛かり片(６)の先端の移行を邪魔するものはなく、該掛かり片(６)の先端はカメラボディ(１)の凹部(14)に納まる。手指でストロボケース(４)を押さえた状態でレンズバリア(９)を閉じると、レンズバリア(９)の端縁(91)が掛かり片(６)の先端に被さり、ストロボケース(４)の跳ね上がりは阻止され、ストロボケース(４)はストロボ収容部(13)に収容状態に保持される。
【００２２】
ストロボケース(４)を倒す際、レンズバリア(９)が閉じていれは、ストロボケース(４)から臨出した掛かり片(６)の先端傾斜面(6a)はレンズバリア(９)の端縁(91)に当たり、該傾斜面(6a)とレンズバリア端縁(91)の押圧により生じる推力で、コイルバネ(８)に抗して掛かり片(６)は掛かり片収容室(43)側にスライドしてレンズバリア端縁(91)を通過出来る。
【００２３】
ストロボケース(４)がストロボ収容部(13)の収容位置に納まると、掛かり片(６)がレンズバリア(９)の厚みを通過してカメラボディ(１)の凹部(14)に達し、コイルバネ(８)の付勢力で元位置に復帰し、レンズバリア(９)の内側に引っ掛かる。ストロボケース(４)の跳ね上がりは阻止される。
上記の如く、レンズバリア(９)が開いていても閉じていても跳ね上げ式のストロボケース(４)をカメラボディ(１)のストロボ収容部(13)に収容出来る。
【００２４】
実施例の様に、レンズバリア(９)が開いていればカメラの電源はＯＮ、閉じていればＯＦＦする様にすれば、シャッターチャンスを待つためにストロボケース(４)を跳ね上げた状態でも、レンズバリア(９)を閉じて電源をＯＦＦでき、バッテリーの消耗を抑えることが出来る。
【００２５】
又、実施例の様に、跳ね上げ式ストロボ(２)を、ランプ(５)や掛かり片(６)を具えたストロボケース(４)と該ストロボケース(４)を回動可能に支持する取付けベース(30)とによってストロボユニット(３)を構成し、該ストロボユニット(３)の取付けベース(30)を、カメラボディ(１)のストロボ収容部(13)に嵌着固定する様にすれば、予めストロボユニット(３)を組立てておいてから、カメラボディ(１)に組込みできるので、作業性が良く組み立て能率が向上する。
又、ストロボユニット(３)の何れかの部分にトラブルが生じれば、ストロボユニット(３)ごと交換できて、作業性が良い。
【００２６】
デジタルカメラでは、特に、小型、軽量化が要求され、小さなストロボケース(４)内に、掛かり片(６)をバネ付勢してスライド可能に保持する構成は、組立の面で至難の技であったが、実施例の様に、掛かり片(６)をスライド可能に支持する支持部材(７)を、掛かり片収容室(43)に上下方向に余り余裕なく収容し、且つ支持部材(７)に開設した切欠(74)に、ストロボケース(４)の後壁(46)から突出した凸軸(47)を嵌めて左右方向の動きを封じ、ストロボケース(４)の前面開口に装着する透光板(48)によって支持部材(７)の前方への脱落を防止すれば、組立性に優れ、又、部品点数も最少に抑えることが出来、コスト低減に寄与出来る。
【００２７】
本発明は実施例の構成に限定されることはなく、特許請求の範囲で種々の変形が可能である。
【図面の簡単な説明】
【図１】レンズバリア及び跳ね上げ式ストロボを閉じた状態のカメラの正面図である。
【図２】レンズバリア及び跳ね上げ式ストロボを開いた状態のカメラの正面図である。
【図３】跳ね上げ式ストロボを閉じた状態のカメラの側面図である。
【図４】跳ね上げ式ストロボを閉じた状態のカメラの側面図である。
【図５】レンズバリア及びストロボユニットをカメラボディから外した状態の斜面図である。
【図６】ストロボユニットの斜面図である。
【図７】ストロボユニットの分解斜面図である。
【図８】図６Ａ−Ａ線に沿う断面図である。
【符号の説明】
(１)  カメラボディ
(２)  跳ね上げ式ストロボ
(３)  ストロボユニット
(30)  取付けベース
(４)  ストロボケース
(６)  掛かり片
(７)  支持部材
(８)  コイルバネ
(９)  レンズバリア
【図１】
0003768113.tif 000002
【図２】
0003768113.tif 000003
【図３】
0003768113.tif 000004
【図４】
0003768113.tif 000005
【図５】
0003768113.tif 000006
【図６】
0003768113.tif 000007
【図７】
0003768113.tif 000008
【図８】
0003768113.tif 000009